(57)【要約】【課題】バランスがよく振動の少ない回転ブラシを備えた電気掃除機の吸込み具を提供する。【解決手段】吸込み口３を有する下ケース２と、外周面の長手方向に複数の清掃体１９が装着され下ケース３内に回転自在に支持された回転ブラシ１５と、下ケース２の上部を覆う上ケースと、下ケース２と上ケースに挟持された接続パイプ４とを備え、上記の回転ブラシ１５を、ほぼ同じ長さで円筒状の２本の回転体１７ａ，１７ｂを結合し、これら結合された２本の回転体１７ａ，１７ｂの軸中心に１本の支持軸を貫通させ、結合された回転体１７ａ，１７ｂ及び支持軸の両端部に支持リング３５ａ，３５ｂを取付けて一体に構成した。【選択図】        図１
2004283407.tif 000002
【特許請求の範囲】
【請求項１】
吸込み口を有する下ケースと、外周面の長手方向に複数の清掃体が装着され前記下ケース内に回転自在に支持された回転ブラシと、前記下ケースの上部を覆う上ケースと、前記下ケースと上ケースに挟持された接続パイプとを備え、
前記回転ブラシを、ほぼ同じ長さで円筒状の２本の回転体を結合し、これら結合された２本の回転体の軸中心に１本の支持軸を貫通させ、前記結合された回転体及び支持軸の両端部に支持リングを取付けて一体に構成したことを特徴とする電気掃除機の吸込み具。
【請求項２】
前記支持軸の両端部近傍にスプラインを設け、中心部に筒状の固定部を有し前記結合された２本の回転体の両端部に装着された支持リングの前記固定部を前記スプラインに圧入して固定したことを特徴とする請求項１記載の電気掃除機の吸込み具。
【請求項３】
前記２本の回転体のうち、一方の回転体の端部に中心部に筒状の嵌合部を有する嵌合凸部を設けると共に、他方の回転体の端部に中心部に前記嵌合部が嵌入する嵌合穴を有し前記嵌合凸部に嵌合する嵌合凹部を設けたことを特徴とする請求項１又は２記載の電気掃除機の吸込み具。
【請求項４】
前記嵌合凸部に設けた嵌合部の軸方向に複数のスリットを設けると共に、前記嵌合凹部に設けた嵌合穴の端部側の内径を前記嵌合部の外径とほぼ等しく奥になるにしたがって縮径して前記嵌合部の外径より小さく形成したことを特徴とする請求項３記載の電気掃除機の吸込み具。
【請求項５】
吸込み口を有する下ケースと、外周面の長手方向に複数の清掃体が装着され前記下ケース内に回転自在に支持された回転ブラシと、前記下ケースの上部を覆う上ケースと、前記下ケースと上ケースに挟持された接続パイプとを備え、
前記回転ブラシに装着された複数の清掃体の全部又は一部を、異なる材料でかつ長さが異なるように構成したことを特徴とする電気掃除機の吸込み具。
【発明の詳細な説明】
【０００１】
【発明の属する技術分野】
本発明は、電気掃除機の吸込み具に係り、さらに詳しくは、吸込み具に設けた回転ブラシに関するものである。
【０００２】
【従来の技術】
電気掃除機の吸込み口に設けた回転ブラシは、通常、吸込み具の吸込み口に対応した長さの中空円筒体の外周面の長手方向に複数の可撓体を取付けてなり、両端部に設けた回転軸を吸込み具に設けた軸受に回転自在に支持されている（例えば、特許文献１参照）。
【０００３】
【特許文献１】
特開平１１−１０４０４７号公報（第４−５頁、図１、図２）
【０００４】
【発明が解決しようとする課題】
特許文献１に記載の回転ブラシは、１本の長い中空円筒体の両端部に設けた回転軸を軸受で支持するようにしているので、バランスが悪く振動が発生し易い。特に、例えば回転ブラシの前面側に大きな負荷が作用すると変形し易く、このため、さらにバランスが悪くなり、より大きな振動が発生するという問題があった。
また、従来の回転ブラシは、中空円筒体の外周面に通常同じ材料で同じ長さの複数の可撓体（清掃体）が設けられているため、絨毯、フローリング、畳など、異なる掃除面に対して効果的な吸引力を得ることができなかった。
【０００５】
本発明は、上記の課題を解決するためになされたもので、バランスがよく振動の少ない回転ブラシを備えた電気掃除機の吸込み具を提供することを目的としたものである。
また、本発明は、回転ブラシに掃除面に対応した複数の清掃体を設けることにより、掃除面の塵埃を効率よく吸引することのできる電気掃除機の吸込み具を提供することを目的としたものである。
【０００６】
【課題を解決するための手段】
本発明に係る電気掃除機の吸込み具は、吸込み口を有する下ケースと、外周面の長手方向に複数の清掃体が装着され前記下ケース内に回転自在に支持された回転ブラシと、前記下ケースの上部を覆う上ケースと、前記下ケースと上ケースに挟持された接続パイプとを備え、前記回転ブラシを、ほぼ同じ長さで円筒状の２本の回転体を結合し、これら結合された２本の回転体の軸中心に１本の支持軸を貫通させ、前記結合された回転体及び支持軸の両端部に支持リングを取付けて一体に構成したものである。
【０００７】
【発明の実施の形態】
［実施の形態１］
図１は本発明の実施の形態１に係る電気掃除機の吸込み具の下面図である。
吸込み具１（以下、本体と記すことがある）は左右方向に長く、下面の長手方向に吸込み口３を有する下ケース２と、下ケース２の上面を覆う上ケースと、下ケース２と上ケースとの間に挟持された接続パイプ４と、下ケース２の前面及び側面の一部に設けられ、本体１を保護するバンパー５とを備えている。
【０００８】
また、下ケース２の前面側の両側には、バンパー５の下から底面にかけて設けられた起毛布取付部６に起毛布７が取付けられており、この起毛布取付部６の間には所定の間隔で設けたガイド壁９の間に、吸込み口３に連通する複数の前風路８が設けられている。１０は下ケース２の底面後部側の長手方向に設けられ、軟質材植毛等からなる固定清掃体１１を取付ける取付溝である。１５は下ケース２の吸込み口３内に収容され、両端部が下ケース２に回転自在に支持された回転ブラシである。以下この回転ブラシ１５につき、詳細に説明する。
【０００９】
図２は回転ブラシの分解斜視図、図３は図２の正面図、図４は図３の断面図、図５は図４の要部の拡大図である。
本実施の形態に係る回転ブラシ１５は、全長を２分割した円筒状で中空の第１の回転体１７ａと第２の回転体１７ｂ（以下、単に回転体１７と記すことがある）を結合してなる本体部１６、本体部１６に貫通されて本体部１６を支持する支持軸３０、及び本体部１６の両端部に結合される支持リング３５ａ，３５ｂからなっている。
【００１０】
そして、第１、第２の回転体１７ａ，１７ｂの外周には、凸状の溝を有し、軟質植毛や硬質植毛からなる刷毛あるいはブレードなどの回転清掃体１９が装着されるスパイラル状の複数の清掃体取付部１８が設けられている。なお、この清掃体取付部１８の両端部はそれぞれ第１、第２の回転体１７ａ，１７ｂの端部から内側に切除されて嵌合部１８ａが形成されている。
【００１１】
第１の回転体１７ａの結合部側は、回転体１７の内径とほぼ等しい外径で端面から突出した嵌合凸部２０が設けられており、その中心部には中心に貫通穴２２を有し、軸方向に複数のスリット２３が設けられた円筒状の嵌合部２１が突設されている。２４は嵌合凸部２０の外周に突設された位置決め用係止部である。
【００１２】
第２の回転体１７ｂの結合部側には、回転体１７ａの嵌合凸部２０の突出長に対応して端部より内側に嵌合凹部２５が設けられており、その中心部には回転体１７ａの嵌合部２１が嵌入する嵌合穴２６が設けられている。この嵌合穴２６の入側（端部側）の内径は嵌合部２１の外径とほぼ等しく、奥になるにしたがって徐々に縮径され、出側の内径は嵌合部２１の外径より若干小さくなっている。２７は回転体１７ａの位置決め用係止部２４が係止する位置決め用係合部である。
２８は第１、第２の回転体１７ａ，１７ｂの結合部の近傍において、清掃体取付部１８の間に設けられたタービン用の噴気口であるが、本発明に必須のものではない。
【００１３】
第１、第２の回転体１７ａ，１７ｂに貫挿される支持軸３０は金属棒からなり、その外径は第１の回転体１７ａの嵌合部２１の貫通穴２２の内径とほぼ等しく、その長さは両回転体１７ａ，１７ｂを結合したときの長さより若干長く形成されている。また、両端部近傍にはスプライン加工やローレット加工などの凹凸部３１（以下、スプライン３１という）が設けられている。
【００１４】
第１、第２の回転体１７ａ，１７ｂの端部開口部に装着される支持リング３５ａ，３５ｂは同じ構造のものである。この支持リング３５ａ，３５ｂの鍔部３６の一方の面（本体部１６側）の中心部には、内径が支持軸３０の外径より若干小径の貫通穴３８を有する筒状の固定部３７が突設されており、その外周にはこれと同心的に回転体１６の内径とほぼ等しい外径の第１の嵌合部３９が突設され、さらにその外周にはこれと同心的に内径が回転体１６の嵌合部１８ａの外径とほぼ等しく、第１の嵌合部３９より低い（突出長が短い）第２の嵌合部４０が突設されており、第１、第２の嵌合部３９，４０の間には、円筒体１６の両端部の嵌合部１８ａが挿入される挿入部４１が形成されている。４２は第２の嵌合部４０から突設され、回転体１６の清掃体取付部１８の間に挿入される位置決め片で、その高さは第１の嵌合部３９の高さとほぼ等しく形成されている。
【００１５】
次に、本発明の実施の形態に係る回転ブラシの組立手順の一例について説明する。
先ず、一方の支持リング３５ａの固定部３７の貫通穴３８に支持軸３０の一端を挿入し、支持軸３０（又は支持リング３５ａ）を押圧してその端部が支持リング３５ａから突出するまで加圧する。これにより、固定部３７の貫通穴３８に支持軸３０のスプライン３１が食い込んで強固かつ回転不能に固定される。
【００１６】
次に、第１の回転体１７ａを開口部から支持軸３０に挿入し、嵌合部２１の貫通穴２２を支持軸３０に挿入する。そして、開口部周縁の清掃体取付部１８が除去された嵌合部１８ａを、支持リング３５ａの第１、第２の嵌合部３９，４０の間に形成された挿入部４１に挿入する。このとき、第１の嵌合部３９の外周面又は第２の嵌合部４０の内周面に突起が設けられていれば、この突起が嵌合部１８ａに食い込んでより強く固定される。なお、支持リング３５ａの位置決め片４２は第１の回転体１７ａの清掃体取付部１８の間に位置する。
【００１７】
ついで、第２の回転体１７ｂの嵌合穴２６を支持軸３０に挿入し、その嵌合穴２６を第１の回転体１７ａの嵌合部２１に嵌合すると共に、嵌合凹部２５を嵌合凸部２１に嵌合し、さらに、位置決め用係合部２７を位置決め用係止部２４に整合させる。そして、第２の回転体１７ｂを押圧すれば、両者は一体に結合される。このとき、嵌合穴２６は奥になるほど縮径されて嵌合部２１の外径より小径になっているので、嵌合部２１はこれに設けたスリット２３により弾性変形して嵌合穴２６の内壁に密着するため、第２の回転体１７ｂが第２の回転体１７ａから外れることがない。
【００１８】
また、第１、第２の回転体１７ａ，１７ｂは、位置決め用係止部２４と位置決め用係合部２７とによって位置決めされているので、両回転体１７ａ，１７ｂにそれぞれ設けた清掃体取付部１８も結合部において連続して連結される。なお、このとき、支持軸３０のスプライン３１を含む他端は、第２の回転体１７ｂの開口部から突出している。
【００１９】
この状態で、第２の回転体１７ｂの端部（開口部側）から第１、第２の回転体１７ａ，１７ｂの連続した清掃体取付部１８の凸状の溝に、両者の清掃体取付部１８の長さに対応した長さの清掃体１９を挿入し、装着する。
そして、他方の支持リング３５ｂの固定部３７の貫通穴３８を第２の回転体１７ａの開口部から突出した支持軸３０に嵌合し、加圧する。これにより支持リング３５ｂは回転軸３０に圧入され、かつスプライン３１が固定部３７の内壁に食い込んで回転不能に強固に固定される。このとき、第２の回転体１７ｂの嵌合部１８ａは、支持リング３５ｂの第１、第２の嵌合部３９，４０の間に形成された挿入部４１に挿入され、支持リング３５ｂの位置決め片４２は清掃体取付部１８の間に位置する。
【００２０】
これにより、第１、第２の回転体１７ａ，１７ｂは結合部で一体に結合されると共に、支持軸３０及び支持リング３５ａ，３５ｂにより強固に固定され、かつ外周に清掃体１９が装着されて回転ブラシ１５が構成される。
そして、吸込み具１の吸込み口３から下ケース２内に挿入され、両端部に設けた支持リング３５ａ，３５ｂ及びこれから突出した支持軸３０が、下ケース２の側壁内面に設けた軸受（図示せず）に回転自在に支持される。
【００２１】
上記のように構成した吸込み具１は、その接続パイプ４が図示しない電気掃除機本体に接続されたホースの握り部又は握り部に接続された延長管に接続され、吸込み具１を握り部により前後左右等に移動させて清掃作業を行う。このとき、電気掃除機本体の運転によって吸込み具１に吸引力が作用し、掃除面上の塵埃を吸込み口３及び前風路５から吸引し、電気掃除機本体の集塵室に集塵する。また、前記吸引力により回転ブラシ１５を回転し、これに取付けた清掃体１９及び固定清掃体１１により掃除面を清掃する。
【００２２】
本実施の形態は、回転ブラシ１５の本体部１６を中央から２分割して第１、第２の回転体１７ａ，１７ｂを形成し、両回転体１７ａ，１７ｂを雌雄の結合部、支持軸３０及び支持リング３５ａ，３５ｂにより一体に結合するようにしたので、バランスがよく、回転時の振動がきわめて少ない。
また、清掃中に回転ブラシ１５に大きな負荷が作用しても変形するようなことがないので、バランスが悪くなったり振動が大きくなることもない。
さらに、本体部１６を２分割したので、これを成形する金型の構造が簡単になり、製作が容易でコストを低減することができる。
【００２３】
上記の説明では、本発明を図示の吸込み具に実施した場合を示したが、これに限定するものではなく、例えば、下ケース内に設けたモータにより回転ブラシを回転させる方式の吸込み具など、他の方式、構造の吸込み具にも本発明を実施することができる。
【００２４】
図８は本発明の実施の形態２に係る電気掃除機の断面模式図である。なお、実施の形態１と同じ部分にはこれと同じ符号が付してある。
従来、電気掃除機の吸込み具の回転ブラシには、一般に、同じ材質、同じ長さの複数の清掃体が取付けられていたので、前述のように、絨毯、フローリング、畳等、掃除面の種類によって抵抗が異なるため所望の回転数が得られない場合があり、効果的な吸引力が得られないという問題があった。
【００２５】
本実施の形態においては、回転ブラシの外周に装着する複数の清掃体の全部又は一部を異なる材料（毛の種類等）で、かつ長さの異なるものを用いたものである。
すなわち、図８に示すように、複数の清掃体取付部１８ａ〜１８ｄ（以下、取付部と略称する）のうち、取付部１８ａには、軟質植毛からなり長さの長い（図には、半径ｒ１  に対応した長さの場合が示してある）清掃体１９ａを装着し、取付部１８ｂには清掃体１９ａと同じ材料で、半径ｒ２  に対応した長さの清掃体１９ｂが装着されている。また、取付部１８ｃには硬質植毛からなり、半径ｒ２  に対応した長さの清掃体１９ｃを、取付部１８ｄには清掃体１９ｃと同じ材料、同じ長さの清掃体１９ｄを装着したものである。
【００２６】
上記のように構成した本実施の形態においては、フローリング４５上を掃除するときは、主として清掃体１９ａが担当し、絨毯４６上を掃除するときは主として清掃体１９ｂ，１９ｃ，１９ｄが担当する。
このため、掃除にあたっては清掃体１９ａ〜１９ｄの抵抗が少なく、回転ブラシ１５の回転に影響を与えることがないので、効率よく掃除面の塵埃を吸取ることができる。
【００２７】
上記の説明では、回転ブラシ１５の各取付部１８ａ〜１８ｄに、上述の材料及び長さの清掃体１９ａ〜１９ｄを装着した場合を示したが、清掃体の材料及び長さはこれに限定するものではなく、適宜選択することができる。また、その全部を異なるものにしてもよく、あるいは一部を異なるものにしてもよい。
さらに、上記の説明では、本発明を実施の形態１に係る吸込み具に実施した場合を示したが、これに限定するものではなく、例えば１本の回転体からなる回転ブラシ、あるいは下ケース内に設けたモータにより回転ブラシを回転させる方式の吸込み具など、他の方式、構造の吸込み具の回転ブラシにも実施することができる。
【００２８】
【発明の効果】
本発明に係る電気掃除機の吸込み具は、ほぼ同じ長さで円筒状の２本の回転体を結合し、これら結合された２本の回転体の軸中心に１本の支持軸を貫通させ、この結合された回転体及び支持軸の両端部に支持リングを取付けて一体に構成した回転ブラシを装着するようにしたので、バランスがよく、振動の少ない回転ブラシを得ることができる。
【図面の簡単な説明】
【図１】本発明の実施の形態１に係る電気掃除機の吸込み具の下面図である。
【図２】図１の回転ブラシの分解斜視図である。
【図３】図２の正面図である。
【図４】図３の断面図である。
【図５】図４の要部拡大図である。
【図６】図２の回転ブラシを組立てた状態を示す正面図である。
【図７】図６の断面図である。
【図８】本発明の実施の形態２に係る電気掃除機の吸込み具に装着される回転ブラシの断面模式図である。
【符号の説明】
１  吸込み具、２  下ケース、３  吸込み口、１５  回転ブラシ、１６  回転体、１７ａ  第１の回転体、１７ｂ  第２の回転体、１８  清掃体取付部、１９清掃体、２０  嵌合凸部、２１  嵌合部、２３  スリット、２５  嵌合凹部、２６  嵌合穴、３０  支持軸、３１  スプライン、３５ａ，３５ｂ  支持リング、３７  固定部、３９  第１の嵌合部、４０  第２の嵌合部。
【図１】
2004283407.tif 000003
【図２】
2004283407.tif 000004
【図３】
2004283407.tif 000005
【図４】
2004283407.tif 000006
【図５】
2004283407.tif 000007
【図６】
2004283407.tif 000008
【図７】
2004283407.tif 000009
【図８】
2004283407.tif 000010